(57)【要約】【課題】キャップを粘着ローラーから取り外す作業を容易に行うことのできる粘着ローラー用キャップ及び粘着ローラー支持具を提供する。【解決手段】粘着ローラー１０に装着されるキャップ２０が、粘着ローラー１０の軸方向端面に配置される円板状のキャップ本体２１と、指先で把持してキャップ２０を粘着ローラー１０の軸方向に移動可能な複数の把持部２４とを備えているので、各把持部２４を指先でつまむように把持しながら粘着ローラー１０から引き出すことにより、キャップ２０を粘着ローラー１０から容易に取り外すことができる。【選択図】図１
0003217751.tif 000002
【実用新案登録請求の範囲】
【請求項１】
円筒状の粘着ローラーの軸方向端部に着脱自在に装着され、手指で把持可能な粘着ローラー支持具に回動自在且つ着脱自在に取り付けられる粘着ローラー用キャップにおいて、
前記粘着ローラーの軸方向端面に配置される円板状のキャップ本体と、
キャップ本体の軸方向一方の面側に設けられ、粘着ローラーの内周面に弾性変形可能に圧接する圧接部と、
キャップ本体の軸方向他方の面側に設けられ、指先で把持してキャップを粘着ローラーの軸方向に移動可能な把持部とを備えた
ことを特徴とする粘着ローラー用キャップ。
【請求項２】
前記圧接部及び把持部はキャップ本体を軸方向に貫通する貫通部材に形成され、
圧接部はキャップ本体の軸方向一方の面側に位置する貫通部材の一部によって形成され、
把持部はキャップ本体の軸方向他方の面側に位置する貫通部材の他の一部によって形成されている
ことを特徴とする請求項１記載の粘着ローラー用キャップ。
【請求項３】
前記貫通部材は略コ字状に形成されるとともに、前記キャップ本体に設けられた二つの貫通孔に両端側を挿通され、
前記圧接部は貫通部材の両端側を略Ｕ字状に屈曲することにより形成され、
前記圧接部は貫通部材の中央側の略コ字状部分によって形成されている
ことを特徴とする請求項２記載の粘着ローラー用キャップ。
【請求項４】
円筒状の粘着ローラーを回動自在に支持する粘着ローラー支持具において、
手指で把持可能に形成された支持具本体と、
支持具本体の幅方向両側に回動自在に支持され、粘着ローラーの軸方向両端にそれぞれ着脱自在に装着される一対のキャップとを備え、
各キャップを支持具本体に粘着ローラーの軸方向への移動を規制されるように取り付けるとともに、
支持具本体の少なくとも一部を粘着ローラーの軸方向に変形可能に形成し、
支持具本体を変形させることにより各キャップが粘着ローラーに対して着脱されるように構成した
ことを特徴とする粘着ローラー支持具。
【請求項５】
前記各キャップは、粘着ローラーの内周面に弾性変形可能に圧接する圧接部を有する
ことを特徴とする請求項４記載の粘着ローラー支持具。
【考案の詳細な説明】
【技術分野】
【０００１】
本考案は、例えば衣服、カーペット等の表面からゴミや塵埃を除去するための粘着ローラーに用いられる粘着ローラー用キャップ及び粘着ローラー支持具に関するものである。
【背景技術】
【０００２】
従来、衣服やカーペット等の表面からゴミや塵埃を除去する清掃具として、円筒状の粘着ローラーにゴミや塵埃を付着させるようにしたものが知られている（例えば、特許文献１参照）。
【０００３】
この清掃具は、外周面が粘着面をなす円筒状の粘着ローラーと、粘着ローラーの軸方向両端にそれぞれ係合する一対のキャップと、各キャップを回動自在に支持する支持具とを備え、支持具を手指で把持しながら粘着ローラーの外周面を衣服等の清掃対象面に押し当てるとともに、粘着ローラーを清掃対象面に沿って転動させることにより、清掃対象面のゴミや塵埃を粘着ローラーに付着させるようにしている。
【０００４】
また、前記粘着ローラーでは、清掃作業によってゴミや塵埃が多く付着した粘着面を剥がし、粘着面が無くなったら粘着ローラーを支持具から取り外して新たな粘着ローラーに交換することにより、新たな粘着ローラーによる清掃作業が可能になる。
【先行技術文献】
【特許文献】
【０００５】
【特許文献１】実用新案登録第３０２７２５９号公報
【考案の概要】
【考案が解決しようとする課題】
【０００６】
ところで、前記支持具は、各キャップを着脱自在に支持するようになっているため、粘着ローラーを交換する際、各キャップが装着されたままの粘着ローラーを支持具から取り外した後、粘着ローラーから各キャップを取り外す必要がある。
【０００７】
しかしながら、キャップは、円板状のキャップ本体の軸方向一方の面側から粘着ローラー内に突出する部分が粘着ローラーの内周面に圧接しているため、例えばキャップ本体の軸方向一方の面と粘着ローラーの他方の面との間に爪先等を挿入してキャップ本体を粘着ローラーから引き出すなど、キャップを粘着ローラーから取り外す作業に苦労するという問題点がある。このため、粘着ローラーの交換作業が煩雑になり、例えば食品工場で衣服の塵埃等を除去するために用いる場合には、キャップを粘着ローラーから取り外す作業を面倒とする作業者が使用済みの粘着ローラーをキャップが付いたまま廃棄してしまうなどの問題が発生していた。
【０００８】
本考案は前記問題点に鑑みてなされたものであり、その目的とするところは、キャップを粘着ローラーから取り外す作業を容易に行うことのできる粘着ローラー用キャップ及び粘着ローラー支持具を提供することにある。
【課題を解決するための手段】
【０００９】
本考案は前記目的を達成するために、円筒状の粘着ローラーの軸方向端部に着脱自在に装着され、手指で把持可能な粘着ローラー支持具に回動自在且つ着脱自在に取り付けられる粘着ローラー用キャップにおいて、前記粘着ローラーの軸方向端面に配置される円板状のキャップ本体と、キャップ本体の軸方向一方の面側に設けられ、粘着ローラーの内周面に弾性変形可能に圧接する圧接部と、キャップ本体の軸方向他方の面側に設けられ、指先で把持してキャップを粘着ローラーの軸方向に移動可能な把持部とを備えている。
【００１０】
これにより、キャップ本体には指先で把持してキャップを粘着ローラーの軸方向に移動可能な把持部が設けられていることから、粘着ローラーからキャップを取り外す際、キャップの把持部を指先で把持しながら粘着ローラーから引き出すことにより、キャップが粘着ローラーから取り外される。
【００１１】
また、本考案は前記目的を達成するために、円筒状の粘着ローラーを回動自在に支持する粘着ローラー支持具において、手指で把持可能に形成された支持具本体と、支持具本体の幅方向両側に回動自在に支持され、粘着ローラーの軸方向両端にそれぞれ着脱自在に装着される一対のキャップとを備え、各キャップを支持具本体に粘着ローラーの軸方向への移動を規制されるように取り付けるとともに、支持具本体の少なくとも一部を粘着ローラーの軸方向に変形可能に形成し、支持具本体を変形させることにより各キャップが粘着ローラーに対して着脱されるように構成している。
【００１２】
これにより、各キャップが支持具本体に粘着ローラーの軸方向への移動を規制されるように取り付けられていることから、粘着ローラーからキャップを取り外す際、支持具本体を弾性変形させて各キャップを粘着ローラーから引き出すことにより、各キャップが支持具本体から外れることなく粘着ローラーから取り外される。
【考案の効果】
【００１３】
本考案によれば、キャップを粘着ローラーから容易に取り外すことができるので、粘着ローラーの交換作業を効率よく行うことができる。
【図面の簡単な説明】
【００１４】
【図１】本考案の第１の実施形態を示す粘着ローラー支持具の斜視図
【図２】キャップの正面図
【図３】キャップの背面図
【図４】キャップの側面断面図
【図５】図２におけるＡ−Ａ線矢視方向断面図
【図６】圧接部及び把持部の形成工程を示すＡ−Ａ線矢視方向断面図
【図７】圧接部及び把持部の形成工程を示すＡ−Ａ線矢視方向断面図
【図８】支持具本体の斜視図
【図９】キャップ及び粘着ローラーの斜視図
【図１０】粘着ローラーの取り付け工程を示す粘着ローラー支持具の斜視図
【図１１】キャップ及び粘着ローラーの要部側面断面図
【図１２】キャップの取り外し工程を示す粘着ローラーの斜視図
【図１３】本考案の第２の実施形態を示す粘着ローラー支持具の斜視図
【図１４】粘着ローラー支持具の要部側面図
【図１５】粘着ローラー支持具の要部正面図
【図１６】粘着ローラーの取り外し工程を示す粘着ローラー支持具の要部正面図
【考案を実施するための形態】
【００１５】
図１乃至図１２は本考案の第１の実施形態を示すもので、例えば衣服、カーペット等の表面からゴミや塵埃を除去するための粘着ローラーを支持する粘着ローラー支持具を示すものである。
【００１６】
本実施形態の粘着ローラー支持具は、粘着ローラー１０の軸方向両端にそれぞれ装着される一対のキャップ２０と、各キャップ２０を回動自在に支持する支持具本体３０とから構成され、各キャップ２０及び支持具本体３０はステンレス等の金属製の部材からなる。
【００１７】
粘着ローラー１０は軸方向に長い円筒状の巻芯１１に外周面が粘着面をなす粘着テープ１２を巻回してなり、粘着テープ１２は周方向所定長さずつ切り離して使用可能に形成されている。
【００１８】
キャップ２０は、粘着ローラー１０の軸方向端面に配置される円板状のキャップ本体２１と、支持具本体３０が挿入される軸受部２２と、粘着ローラー１０の内周面に弾性変形可能に圧接する複数の圧接部２３と、指先で把持してキャップ本体２１を粘着ローラー１０の軸方向に移動可能な複数の把持部２４とを備えている。
【００１９】
キャップ本体２１は、粘着ローラー１０の巻芯１１の外径よりもやや小さい外径に形成され、その径方向４箇所には軸方向に貫通する貫通孔２１ａがキャップ本体２１の周方向に等間隔で設けられている。
【００２０】
軸受部２２は円筒状の部材からなり、キャップ本体２１の径方向中央にキャップ本体２１を軸方向に貫通するように設けられている。
【００２１】
各圧接部２３は、キャップ本体２１の軸方向一方の面側に設けられ、互いにキャップ本体２１の周方向４箇所に等間隔で配置されている。各圧接部２３はキャップ本体２１の軸方向一方の面から軸方向に延出するとともに、先端側がキャップ本体２１の径方向外側にＵ字状に屈曲するように形成されている。また、各圧接部２３は、キャップ本体２１の径方向における端部間の自然状態の距離Ｌ1 が、キャップ本体２１の外径Ｄ1 よりもやや小さく、且つ粘着ローラー１０の巻芯１１の内径Ｄ2 よりも大きく形成されている。
【００２２】
各把持部２４は、キャップ本体２１の軸方向他方の面側に設けられ、互いにキャップ本体２１の周方向２箇所に等間隔で配置されている。把持部２４はキャップ本体２１の軸方向他方の面から軸方向に突出するように略コ字状に形成され、その両端側はキャップ本体２１の周方向に隣り合う二つの圧接部２３と一体に形成されている。即ち、各圧接部２３及び各把持部２４は、図６に示すようにキャップ本体２１を軸方向に貫通する二つの棒状の貫通部材２５に形成されている。貫通部材２５は両端側を直線状に形成された略コ字状をなすように形成されており、図７に示すように貫通部材２５の両端側をキャップ本体２１の周方向に隣り合う二つの孔２１ａに挿通し、貫通部材２５の両端側を屈曲することにより、キャップ本体２１の軸方向一方の面側に圧接部２３を形成している。その際、貫通部材２５の中央側をキャップ本体２１から軸方向に距離Ｌ2 だけ離して配置することにより、キャップ本体２１の軸方向他方の面側に把持部２４を形成している。
【００２３】
支持具本体３０は、粘着ローラー１０を回動自在に支持する幅方向一対の支持部３１と、手指で把持可能な柄部３２とからなり、各支持部３１及び柄部３２は棒状部材を折り曲げることによって互いに一体に形成されている。
【００２４】
支持部３１は、基端側が粘着ローラー１０の軸方向に沿って直線状に延びるとともに、先端側が前方及び下方にそれぞれ屈曲するように形成されている。支持部３１の先端側には、キャップ２０の軸受部２２に挿入され支軸部３１ａが設けられ、支軸部３１ａは粘着ローラー１０の軸方向に延出するように形成されている。
【００２５】
柄部３２は、後端側が略Ｕ字状に屈曲するとともに、両端側が互いに略平行に支持部３１の基端まで延びるように形成されている。また、柄部３２の前端側は後端側に対してやや前下りに傾斜するように形成されている。更に、柄部３２にはその前後方向略中央部を互いに固定する固定部材３２ａが取り付けられている。これにより、柄部３２は固定部材３２ａよりも前方の部分が支持具本体３０の幅方向に弾性変形するようになっている。
【００２６】
以上のように構成された清掃具においては、各キャップ２０をそれぞれ粘着ローラー１０の軸方向両端に装着した後、図１０に示すように支持具本体３０を幅方向外側に向かって弾性変形させることにより各支持部３１の間隔を広げ、各キャップ２０の軸受部２２に支持具本体３０の各支軸部３１ａを挿入して支持具本体３０を元の状態に復元させることにより、図１に示すように粘着ローラー１０が支持具本体３０によって回動自在に支持される。また、キャップ２０を粘着ローラー１０に装着する際、キャップ２０の各圧接部２３が粘着ローラー１０の巻芯１１の内周面に当接しながら粘着ローラー１０の径方向内側に向かって弾性変形する。これにより、図１１に示すように巻芯１１の内周面に圧接し、キャップ２０が粘着ローラー１０に保持される。
【００２７】
前述のように粘着ローラー１０を支持具本体３０に装着した後、支持具本体３０の柄部３２を手指で把持しながら粘着ローラー１０の外周面を図示しない衣服等の清掃対象面に押し当てるとともに、粘着ローラー１０を清掃対象面に沿って転動させることにより、清掃対象面のゴミや塵埃が粘着ローラー１０に付着する。
【００２８】
また、前記清掃作業によって粘着ローラー１０にゴミや塵埃が多く付着した場合は、粘着ローラー１０を支持具本体３０から取り外して新たな粘着ローラーに交換する。粘着ローラー１０を交換する場合、支持具本体３０を幅方向外側に向かって弾性変形させて各支持部３１の間隔を広げ、各キャップ２０の軸受部２２から支持具本体３０の各支軸部３１ａを抜き出し、粘着ローラー１０から各キャップ２０を取り外して新たな粘着ローラーに装着する。その際、図１２に示すようにキャップ２０の各把持部２４を指先でつまむように把持しながらキャップ２０を粘着ローラー１０から引き出すことにより、各キャップ２０が粘着ローラー１０から取り外される。
【００２９】
このように、本実施形態の粘着ローラー用キャップ２０は、粘着ローラー１０の軸方向端面に配置される円板状のキャップ本体２１と、キャップ本体２１の軸方向一方の面側に設けられ、粘着ローラーの内周面に弾性変形可能に圧接する複数の圧接部２３と、キャップ本体２１の軸方向他方の面側に設けられ、指先で把持してキャップを粘着ローラー１０の軸方向に移動可能な複数の把持部２４とを備えているので、各把持部２４を指先でつまむように把持しながら粘着ローラー１０から引き出すことにより、キャップ２０を粘着ローラー１０から容易に取り外すことができ、粘着ローラー１０の交換作業を効率よく行うことができる。
【００３０】
また、圧接部２３及び把持部２４はキャップ本体２１を軸方向に貫通する貫通部材２５に形成されており、圧接部２３はキャップ本体２１の軸方向一方の面側に位置する貫通部材２５の一部によって形成され、把持部２４はキャップ本体２１の軸方向他方の面側に位置する貫通部材２５の他の部分によって形成されているので、圧接部２３と把持部２４とを互いに一体に形成することができ、部品点数及び組立工数を少なくすることができる。
【００３１】
この場合、キャップ本体２１を貫通する貫通部材２５に圧接部２３と把持部２４とが一体に形成されていることから、これらの部品がキャップ本体２１から容易に脱落することがなく、例えば食品工場において使用器具からの脱落物が食材に混入することを効果的に防止することができる。
【００３２】
また、各圧接部２３は貫通部材２５の両端側を略Ｕ字状に屈曲することにより形成されているので、各圧接部２３を粘着ローラー１０の内周面に円滑に当接させることができ、粘着ローラー１０に対するキャップ２０の着脱を容易に行うことができる。
【００３３】
更に、各把持部２４は貫通部材２５の中央側の略コ字状部分によって形成されているので、略コ字状部分とキャップ本体２１との間に指先を係止しやすくなり、各把持部２４を指先で確実に把持することができる。
【００３４】
また、各キャップ２０及び支持具本体３０は金属製の部材からなるので、樹脂製のものに比べて部材の欠損による脱落物の発生が極めて少なく、前述のように食品工場で使用する場合に有利である。
【００３５】
図１３乃至図１６は本考案の第２の実施形態を示すもので、前記第１の実施形態と同等の構成部分には同一の符号を付して示す。
【００３６】
本実施形態の粘着ローラー支持具は、前記第１の実施形態と同様、粘着ローラー１０の軸方向両端にそれぞれ装着される一対のキャップ２０と、各キャップ２０を回動自在に支持する支持具本体３０とから構成され、各キャップ２０が支持具本体３０から外れないように取り付けられるとともに、前記把持部２４を有しない点で第１の実施形態とは異なる。
【００３７】
即ち、本実施形態では、キャップ２０の軸受部２２に挿入された支軸部３１ａの先端側に、軸受部２２の軸方向の移動を規制する移動規制部３１ｂが設けられ、移動規制部３１ｂによってキャップ２０が支軸部３１ａから外れないようになっている。移動規制部３１ｂは、例えば長さの短いパイプ状部材を支軸部３１ａに溶接等により固定することにより設けることができる。
【００３８】
本実施形態では、第１の実施形態の図１０と同様、支持具本体３０を幅方向に弾性変形させることにより、図１５に示すように粘着ローラー１０の軸方向両端に各キャップ２０を装着した状態で粘着ローラー１０が支持具本体３０に支持される。
【００３９】
また、粘着ローラー１０を交換する場合は、図１６に示すように支持具本体３０を幅方向外側に向かって弾性変形させて各支持部３１の間隔を広げて各キャップ２０を粘着ローラー１０から引き出すことにより、粘着ローラー１０を各キャップ２０から取り外して新たな粘着ローラーと交換する。各キャップ２０を粘着ローラー１０から引き出す際、移動規制部３１ｂによってキャップ２０が支軸部３１ａから外れることなく粘着ローラー１０から取り外される。
【００４０】
このように、本実施形態によれば、各キャップ２０を支持具本体３０に粘着ローラー１０の軸方向への移動を規制されるように取り付けるとともに、支持具本体３１を粘着ローラー１０の軸方向に変形可能に形成し、支持具本体３０を変形させることにより各キャップ２０が粘着ローラー１０に対して着脱されるように構成したので、支持具本体３０を幅方向外側に向かって弾性変形させて各支持部３１の間隔を広げて各キャップ２０を粘着ローラー１０から引き出すことにより、各キャップ２０を粘着ローラー１０から容易に取り外すことができ、粘着ローラー１０の交換作業を効率よく行うことができる。
【００４１】
尚、本実施形態の各圧接部２３は、第１の実施形態のように把持部２４と一体に形成されたものではないが、その一端側をキャップ本体２１の貫通孔２１ａに挿入され、溶接等によりキャップ本体２１に固定されている。
【符号の説明】
【００４２】
１０…粘着ローラー、２０…キャップ、２１…キャップ本体、２１ａ…貫通孔、２３…圧接部、２４…把持部、２５…貫通部材、３０…支持具本体、３１ｂ…移動規制部。
【図１】
0003217751.tif 000003
【図２】
0003217751.tif 000004
【図３】
0003217751.tif 000005
【図４】
0003217751.tif 000006
【図５】
0003217751.tif 000007
【図６】
0003217751.tif 000008
【図７】
0003217751.tif 000009
【図８】
0003217751.tif 000010
【図９】
0003217751.tif 000011
【図１０】
0003217751.tif 000012
【図１１】
0003217751.tif 000013
【図１２】
0003217751.tif 000014
【図１３】
0003217751.tif 000015
【図１４】
0003217751.tif 000016
【図１５】
0003217751.tif 000017
【図１６】
0003217751.tif 000018